(57)【要約】【課題】  焼成庫(20)に出し入れ自在に収納されるグリルパン(23)に前方支持脚(4)及び後方支持脚(5)で支持され且つ、金属線製の食材載置網(10)と、前記前方支持脚(4)に設けられた防風板(41)を具備するグリル用焼き網において、グリルパン(23)から取り外したグリル用焼き網(1)の洗浄時に、該グリル用焼き網(1)によってシンクが傷付けられるのを防止すること。【解決手段】  前記前方支持脚(4)と後方支持脚(5)は、断面略円形の金属線をＵ字状に屈曲させることによって下端にＵ字状折返し部を形成したものであり、前記防風板(41)は前記Ｕ字状折返し部より上方に設けられており、前記グリルパン(23)の外周から張り出した上端フランジ(230)に開設された差込穴に対して前記Ｕ字状折返し部が上方から差し込まれることによって前記グリル用焼き網(1)が前記グリルパン(23)上に立てた状態に載置されること。【選択図】  図２
2005334042.tif 000002
【特許請求の範囲】
【請求項１】
前方開口(22)が開閉扉(21)で開閉される焼成庫(20)に対して出し入れ自在に収納されるグリルパン(23)に前方支持脚(4)及び後方支持脚(5)で支持されるグリル用焼き網であって、
金属線製の食材載置網(10)と、該食材載置網(10)の前辺の下方に設けられた防風板(41)を具備し、
前記防風板(41)によって、前記前方開口(22)の周縁下部と開閉扉(21)との間隙から侵入する空気が前記食材載置網(10)とグリルパン(23)の上下間に流入するのを抑制するグリル用焼き網に於いて、
前記前方支持脚(4)と後方支持脚(5)は、断面略円形の金属線をＵ字状に屈曲させることによって下端にＵ字状折返し部を形成したものであり、
前記防風板(41)は前記Ｕ字状折返し部より上方に設けられている、グリル用焼き網。
【請求項２】
前方開口(22)が開閉扉(21)で開閉される焼成庫(20)に対して出し入れ自在に収納されるグリルパン(23)に前方支持脚(4)及び後方支持脚(5)で支持されるグリル用焼き網であって、
金属線製の食材載置網(10)と、該食材載置網(10)の前辺の下方に設けられた防風板(41)を具備し、
前記防風板(41)によって、前記前方開口(22)の周縁下部と開閉扉(21)との間隙から侵入する空気が前記食材載置網(10)とグリルパン(23)の上下間に流入するのを抑制するグリル用焼き網に於いて、
前記前方支持脚(4)は、断面略円形の金属線をＵ字状に屈曲させることによって下端にＵ字状折返し部を形成したものであり、
前記防風板(41)は前記Ｕ字状折返し部より上方に設けられており、
前記後方支持脚(5)は下端に突出片が一体形成された金属板で構成されていると共に、該突出片の下端から所定高さまでの周縁部はヘミング加工されている、グリル用焼き網。
【請求項３】
請求項１又は請求項２に記載のグリル用焼き網に於いて、
前記防風板(41)は、前記食材載置網(10)又は前記前方支持脚(4)に対して着脱自在に取付ける為の取付手段を備えている、グリル用焼き網。
【請求項４】
前方開口(22)が開閉扉(21)で開閉される焼成庫(20)に対して出し入れ自在に収納されるグリルパン(23)に前方支持脚(4)及び後方支持脚(5)で支持されるグリル用焼き網であって、
金属線製の食材載置網(10)と、該食材載置網(10)の前辺の下方に設けられた防風板(41)を具備し、
前記防風板(41)によって、前記前方開口(22)の周縁下部と開閉扉(21)との間隙から侵入する空気が前記食材載置網(10)とグリルパン(23)の上下間に流入するのを抑制するグリル用焼き網に於いて、
前記前方支持脚(4)は、前記食材載置網(10)の前辺の下方に設けられる金属板製の防風板(41)と、該防風板(41)の一部を下方に延長させた突出片を備えていると共に、前記突出片の下端から所定高さまでの周縁部はヘミング加工され、
前記後方支持脚(5)は、断面略円形の金属線をＵ字状に屈曲させることによって下端にＵ字状折返し部を形成したものである、グリル用焼き網。
【請求項５】
前方開口(22)が開閉扉(21)で開閉される焼成庫(20)に対して出し入れ自在に収納されるグリルパン(23)に前方支持脚(4)及び後方支持脚(5)で支持されるグリル用焼き網であって、
金属線製の食材載置網(10)と、食材載置網(10)の前辺の下方に設けられた防風板(41)を具備し、
前記防風板(41)によって、前記前方開口(22)の周縁下部と開閉扉(21)との間隙から侵入する空気が前記食材載置網(10)とグリルパン(23)の上下間に流入するのを抑制するグリル用焼き網に於いて、
前記前方支持脚(4)は、前記食材載置網(10)の前辺の下方に設けられた金属板製の防風板(41)と、該防風板(41)の一部を下方に延長させた突出片を備えていると共に、前記突出片の下端から所定高さまでの周縁部はヘミング加工され、
更に、前記後方支持脚(5)は下端に突出片が一体形成された金属板で構成されていると共に、該突出片の下端から所定高さまでの周縁部はヘミング加工されている、グリル用焼き網。
【請求項６】
請求項１から請求項５の何れかに記載のグリル用焼き網に於いて、
前記グリルパン(23)の外周から張り出した上端フランジ(230)に開設された差込穴に対して、前方支持脚(4)及び後方支持脚(5)の下端に形成された前記Ｕ字状折返し部や前記突出片が上方から差し込まれることによって、前記グリル用焼き網(1)が前記グリルパン(23)上に支持される、グリル用焼き網。
【請求項７】
請求項１から請求項６の何れかに記載のグリル用焼き網に於いて、
前記グリル用焼き網(1)を前記グリルパン(23)上に載置させた状態では、前記防風板(41)の下辺が前記上端フランジ(230)に当接する、グリル用焼き網。
【請求項８】
請求項１から請求項７の何れかに記載のグリル用焼き網に於いて、
前記食材載置網(10)は、金属線製の中央網部(100)と、前記中央網部(100)の外周に沿って設けられた金属線製の周縁枠部(101)とを具備し、
前記前方支持脚(4)は、前記周縁枠部(101)の下方に設けられている、グリル用焼き網。
【発明の詳細な説明】
【技術分野】
【０００１】
本発明は、システムキッチンのカウンタートップに形成された開口に落とし込み状態に装着されるドロップインコンロや、テーブルコンロに形成された焼き物用グリルに使用されるグリル用焼き網、特に、該グリル用焼き網の両横下方に下火バーナが配設された形式のグリルに適用されるグリル用焼き網に関するものである。
【背景技術】
【０００２】
図８は、従来のグリル用焼き網(1)を装填した焼き物用グリルを具備するガスコンロの縦断面図である。
焼成庫(20)の前方開口(22)は、下端の軸支部(211)で軸支された開閉扉(21)によって覆われていると共に、焼成庫(20)内の天井には食材(A)の上面を加熱する上火バーナ(24)が配設されている一方、左右両側の下部には食材(A)の下面を加熱する一対の下火バーナ(25)(25)が配設されている。
【０００３】
一方、焼成庫(20)内に出し入れ自在に装填されたグリルパン(23)にはグリル用焼き網(1)が取り外し自在に載置されていると共に、図７で示すように、該グリル用焼き網(1)は、食材(A)を載置する為の食材載置網(10)と、該食材載置網(10)の前後辺を支持する為の前後の支持脚(4)(5)を備えており、これら前後の支持脚(4)(5)によって食材載置網(10)がグリル皿(23)から持ち上げられた状態に支持されている。そして、持ち上げ状態に支持された食材載置網(10)とグリルパン(23)の上下間隔に下火バーナ(25)(25)の炎孔からの炎を生成させ、これにより、下火バーナ(25)(25)からの燃焼排気で食材載置網(10)上の食材(A)下面が加熱されるようになっている。
【０００４】
上記前方支持脚(4)は防風板(41)とその下方の差込片(42)(42)を備えており、前記防風板(41)は焼成庫(20)の前方開口(22)と開閉扉(21)との下部間隙(X)から流入する空気によって下火バーナ(25)(25)からの燃焼排気が後方に吹き流されるのを防止し、これにより、食材載置網(10)の下方前部の温度低下を防いでいる。
食材載置網(10)の前辺(101A)に垂下された防風板(41)から垂下突出する差込片(42)(42)はグリルパン(23)の上端フランジ(230)に開設された差込穴(231)(231)に挿抜自在に差し込まれるようになっている。
【０００５】
一方、食材載置網(10)の後辺(101C)に垂下する後方支持脚(5)は、グリルパン(23)の上端フランジ(230)に開設された差込穴(232)(232)に挿抜自在に差し込まれる差込片(52)(52)を備えている。
このものでは、食材載置網(10)の前辺(101A)から垂下する前方支持脚(4)の差込片(42)(42)をグリルパン(23)の上端フランジ(230)の差込穴(231)(231)に差し込んだ状態では、図８に示すように、食材載置網(10)とグリルパン(23)との上下間隔(S)（下火バーナ(25)(25)からの燃焼排気が流入する空間）の前端が防風板(41)でほぼ閉塞され、これにより、下火バーナ(25)(25)からの燃焼排気が、焼成庫(20)の前方開口(22)と開閉扉(21)との下方間隙(X)から流入する空気で後方に吹き流されるのが防止され、これにより、食材載置網(10)の下方の温度低下が防止される。
【特許文献１】実開昭６０−１１３４１０号公報
【発明の開示】
【発明が解決しようとする課題】
【０００６】
しかしながら、上記従来のものでは、汚れたグリル用焼き網(1)をグリルパン(23)から取り外してシンク等で洗浄するときには、該グリル用焼き網(1)の前後端に設けられた前方支持脚(4)や後方支持脚(5)に形成された差込片(42)(42)(52)(52)の周縁のエッジ部が前記シンクを傷つける心配があった。
本発明は、かかる点に鑑みて成されたもので、
『前方開口(22)が開閉扉(21)で開閉される焼成庫(20)に対して出し入れ自在に収納されるグリルパン(23)に前方支持脚(4)及び後方支持脚(5)で支持されるグリル用焼き網であって、
金属線製の食材載置網(10)と、該食材載置網(10)の前辺の下方に設けられた防風板(41)を具備し、
前記防風板(41)によって、前記前方開口(22)の周縁下部と開閉扉(21)との間隙から侵入する空気が前記食材載置網(10)とグリルパン(23)の上下間に流入するのを抑制するグリル用焼き網』に於いて、グリルパン(23)から取り外したグリル用焼き網(1)の洗浄時に、該グリル用焼き網(1)によってシンク等が傷付けられるのを防止することを課題とする。
【課題を解決するための手段】
【０００７】
［請求項１に係る発明］
上記課題を解決する為の請求項１に係る発明の技術的手段は、
『前記前方支持脚(4)と後方支持脚(5)は、断面略円形の金属線をＵ字状に屈曲させることによって下端にＵ字状折返し部を形成したものであり、
前記防風板(41)は前記Ｕ字状折返し部より上方に設けられている』ことである。
上記技術的手段によれば、前方支持脚(4)と後方支持脚(5)は、下端にＵ字状折返し部を備えた屈曲金属線（断面形状は略円形に形成されている）で構成されている。従って、前後支持脚(4)(5)の下端部（Ｕ字状折返し部の下端屈曲部）近傍の外周輪郭は立体的な丸みを帯びた形状になるから、洗浄時に前後支持脚(4)(5)の下端がシンク等の上を摺動しても該シンクを傷つける心配が少なくなる。
【０００８】
［請求項２に係る発明］
上記課題を解決する為の請求項２に係る発明の技術的手段は、
『前記前方支持脚(4)は、断面略円形の金属線をＵ字状に屈曲させることによって下端にＵ字状折返し部を形成したものであり、
前記防風板(41)は前記Ｕ字状折返し部より上方に設けられており、
前記後方支持脚(5)は下端に突出片が一体形成された金属板で構成されていると共に、該突出片の下端から所定高さまでの周縁部はヘミング加工されている』ことである。
上記技術的手段によれば、前方支持脚(4)は、下端にＵ字状折返し部を備えた屈曲金属線（断面略円形に形成されている）で構成されていると共に、金属板製の後方支持脚(5)から下方に一体的に突出する突出片の下端から所定高さまでの周縁部はヘミング加工されている。従って、前方支持脚(4)の下端部近傍及び後方支持脚(5)下端の突出片の下端近傍の外周輪郭は立体的な丸みを帯びた形状になるから、洗浄時に前方支持脚(4)や前記突出片の下端がシンク等の上を摺動しても該シンクを傷つける心配が少なくなる。
【０００９】
［請求項３に係る発明］
請求項１又は２に係る発明に於いて、
『前記防風板(41)は、前記食材載置網(10)又は前記前方支持脚(4)に対して着脱自在に取付ける為の取付手段を備えている』ものとすれば、防風板(41)を取り外した状態でグリル用焼き網(1)を洗浄することができるから、該防風板(41)が洗浄の邪魔になることがない。
【００１０】
［請求項４に係る発明]
請求項１に係る発明では前後の支持脚をＵ字状に屈曲した金属線で構成したが、前方支持脚を金属板で構成する場合には、
『前記前方支持脚(4)は、前記食材載置網(10)の前辺の下方に設けられる金属板製の防風板(41)と、該防風板(41)の一部を下方に延長させた突出片を備えていると共に、前記突出片の下端から所定高さまでの周縁部はヘミング加工され、
前記後方支持脚(5)は、断面略円形の金属線をＵ字状に屈曲させることによって下端にＵ字状折返し部を形成したものである』ものとすることができる。
このものでは、前方支持脚(4)の下端の突出片は、下端から所定高さまでの周縁部がヘミング加工されている。一方、後方支持脚(5)は、下端にＵ字状折返し部を備えた屈曲金属線（断面形状は略円形に形成されている）で構成されている。従って、前記突出片とＵ字状折返し部の下端及びこれに続く部分の外周は丸みを帯びた形状になり、これにより、洗浄時にシンク等の上を摺動しても該シンクを傷つける心配が少なくなる。
【００１１】
［請求項５に係る発明]
請求項１に係る発明では前後の支持脚をＵ字状に屈曲した金属線で構成したが、前後の支持脚を金属板で構成する場合には、
『前記前方支持脚(4)は、前記食材載置網(10)の前辺の下方に設けられた金属板製の防風板(41)と、該防風板(41)の一部を下方に延長させた突出片を備えていると共に、前記突出片の下端から所定高さまでの周縁部はヘミング加工され、
更に、前記後方支持脚(5)は下端に突出片が一体形成された金属板で構成されていると共に、該突出片の下端から所定高さまでの周縁部はヘミング加工されている』ものとすることができる。
このものでは、前方支持脚(4)の下端の突出片と後方支持脚(5)の下端の突出片の夫々は、下端から所定高さまでの周縁部がヘミング加工されている。従って、前記各突出片の下端及びこれに続く部分の外周は丸みを帯びた形状になり、これにより、洗浄時にシンクの上を摺動しても該シンクを傷つける心配が少なくなる。
【００１２】
［請求項６に係る発明］
請求項１〜５の何れかのグリル用焼き網に於いて、
『前記グリルパン(23)の外周から張り出した上端フランジ(230)に開設された差込穴に対して、前方支持脚(4)及び後方支持脚(5)の下端に形成された前記Ｕ字状折返し部や前記突出片が上方から差し込まれることによって、前記グリル用焼き網(1)が前記グリルパン(23)上に支持される』ものとすることができる。
このものでは、前方支持脚(4)や後方支持脚(5)の下端に位置する突出片やＵ字状折返し部がグリルパン(23)の上端フランジ(230)に開設された差込穴に差し込まれるから、グリルパン(23)に対するグリル用焼き網の安定性が向上する。
【００１３】
［請求項７に係る発明］
請求項１〜６に係る発明に於いて、
『前記グリル用焼き網(1)を前記グリルパン(23)上に載置させた状態では、前記防風板(41)の下辺が前記上端フランジ(230)に当接する』ものでは、防風板(41)の下辺と上端フランジ(230)の上下間に間隙が形成されないので、前方開口(22)の周縁下部と開閉扉(21)の間隙から侵入する空気が前記防風板(41)で一層確実に遮断される。
【００１４】
［請求項８に係る発明］
請求項１〜７に係る発明において、
『前記食材載置網(10)は、金属線製の中央網部(100)と、前記中央網部(100)の外周に沿って設けられた金属線製の周縁枠部(101)とを具備し、
前記前方支持脚(4)は、前記周縁枠部(101)の下方に設けられている』ものとすれば、食材載置網(10)は中央網部(100)の外周が周縁枠部(101)で縁巻きされた状態になる。従って、前記縁巻き部によって食材載置網(10)の強度向上が図れる。
【発明の効果】
【００１５】
本発明は次の特有の効果を有する。
請求項１に係る発明では、前後支持脚(4)(5)の下端部（Ｕ字状折返し部の下端屈曲部）近傍の外周輪郭は立体的な丸みを帯びた形状になるから、前後支持脚(4)(5)の下端が洗浄時にシンク等の上を摺動しても該シンクを傷つける心配が少なくなる。
請求項２に係る発明では、前方支持脚(4)の下端部近傍及び、後方支持脚(5)下端の突出片の下端近傍の外周輪郭は立体的な丸みを帯びた形状になるから、洗浄時に前方支持脚(4)や前記突出片の下端がシンク等の上を摺動しても該シンクを傷つける心配が少なくなる。
【００１６】
請求項３に係る発明では、防風板(41)を取り外した状態でグリル用焼き網(1)を洗浄することができるから、該防風板(41)が洗浄の邪魔になることがない。
請求項４に係る発明によれば、前方支持脚(4)の下端の突出片と後方支持脚(5)の下端部（Ｕ字状折返し部の下端屈曲部）近傍の外周輪郭は丸みを帯びた形状になるから、洗浄時に前後支持脚(4)(5)の下端がシンク等の上を摺動しても該シンクを傷つける心配が少なくなる。
請求項５に係る発明によれば、前方支持脚(4)の下端の突出片と後方支持脚(5)の下端の突出片の夫々は、下端及びこれに続く部分の外周が丸みを帯びた形状になるから、洗浄時に前後支持脚(4)(5)の下端がシンク等の上を摺動しても該シンクを傷つける心配が少なくなる。
【００１７】
請求項６に係る発明によれば、前後支持脚(4)(5)の下端に位置する突出片やＵ字状折返し部がグリルパン(23)の上端フランジ(230)に開設された差込穴に差し込まれるから、グリルパン(23)に対するグリル用焼き網の安定性が向上する。
請求項７に係る発明によれば、防風板(41)の下辺と上端フランジ(230)の上下間に間隙が形成されないので、前方開口(22)の周縁下部と開閉扉(21)の間隙から侵入する空気が前記防風板(41)で一層確実に遮断される。
請求項８に係る発明では、食材載置網(10)の中央網部(100)の外周が周縁枠部(101)で縁巻きされて強度向上が図れる。
【発明を実施するための最良の形態】
【００１８】
以下に、本発明を実施するための最良の形態について添付図面を参照しながら説明する。
［第１実施形態］
図１は、本発明の第１実施形態に係るグリル用焼き網(1)を装填した焼き物グリルを具するガスコンロの縦断面図である。
焼成庫(20)の前方開口(22)は、既述従来のものと同様に、下端の軸支部(211)で起倒自在に軸支された開閉扉(21)で覆われていると共に、焼成庫(20)内にはグリルパン(23)が出し入れ自在に収納されている。
焼成庫(20)の底板(26)の前端(260)と、開閉扉(21)の内面下部(210)との相互間には後述する下火バーナ(25)等への燃焼用空気を供給する為に下部間隙(X)が形成されている。
一方、焼成庫(20)内の天井には食材(A)の上面を加熱する多数の炎孔(240)が形成されたプレート状の上火バーナ(24)が配設されていると共に、焼成庫(20)の左右両側の下部にはパイプ状の下火バーナ(25)(25)が配設されており、該下火バーナ(25)(25)によって食材載置網(10)上の食材(A)の下面を加熱できるようにしている。
このため、下火バーナ(25)(25)の炎孔(250)は、グリルパン(23)とその上方の食材載置網(10)の上下間隔(S)に対して横方向から臨む位置に設けられており、これにより、下火バーナ(25)(25)の炎孔(250)(250)からの燃焼排気が上記上下間隔(S)から食材(A)の下面に向けて吐出されるようになっている。
又、焼成庫(20)の奥部には、燃焼排気を外部に排出する為の排気ダクト(30)が連設されている。
【００１９】
次に、上記焼成庫(20)に出し入れ自在に収納されるグリルパン(23)と、これに載置されるグリル用焼き網(1)の詳細な構造を図２に基づいて説明する。
グリルパン(23)は、平面視が前後に長い長方形に形成されていると共に、該グリルパン(23)の中央皿部(233)の外周壁上端からは上端フランジ(230)が張り出している。そして、この上端フランジ(230)の前側短辺部(230a)には、中央から左右の振り分け位置に設けられた一対の差込穴(231)(231)が開設されており、該差込穴(231)(231)には後述のグリル用焼き網(1)に設けられた前方支持脚(4)の下端に位置するＵ字状の差込片(42)(42)が差し込まれるようになっている。
一方、前記上端フランジ(230)の後側短辺部(230b)の中央部には、後述するグリル用焼き網(1)の後方支持脚(5)の差込片(52)を差し込む為の差込穴(232)が開設されている。
【００２０】
次に、本願発明の対象たるグリル用焼き網(1)の構造を説明する。
図２に示すように、グリル用焼き網(1)は、食材を載置する金属製の食材載置網(10)と、これをグリルパン(23)上に立てる為の前方支持脚(4)及び後方支持脚(5)と、閉じられた開閉扉(21)と前方開口(22)周縁の前記下部間隙(X)（図１参照）から焼成庫(20)内に侵入する空気が前記食材載置網(10)とグリルパン(23)の上下間に流入するのを阻止する為の防風板(41)を備えている。
食材載置網(10)は、金属線製の中央網部(100)と、該中央網部(100)の外周に沿って設けられた金属線製の周縁枠部(101)とを具備している。
【００２１】
前方支持脚(4)は、断面略円形の金属線を横長長方形の枠状に屈曲させたもので、周縁枠部(101)の前辺(101A)に溶接取付け（連設）され、その下辺の一部を防風板(41)の下辺より下方に突出するように屈曲させることによって、既述グリルパン(23)の前記外周フランジ(230)に開設された差込穴(231)(231)に差し込む為の差込片(42)(42)を形成している。そして、各差込片(42)は、下端にＵ字状折返し部(420)を具備しており、該Ｕ字状折返し部(420)の下端部近傍の外周輪郭は立体的な丸みを帯びた形状になっている。従って、グリル用焼き網(1)の洗浄時に、前記立体的な丸みを帯びたＵ字状折返し部(420)の下端近傍がシンク等の上を摺動してもこれを傷付ける心配が少ない。
【００２２】
一方、周縁枠部(101)の後側の後辺(101C)に溶接取付けされる後方支持脚(5)は、金属線を横長長方形に屈曲して形成したものであり、該後方支持脚(5)の下辺の中央部を下方に屈曲させることによって、既述グリルパン(23)の外周フランジ(230)に開設された差込穴(232)に差し込む為の差込片(52)を形成している。そして、差込片(52)は、下端にＵ字状折返し部(520)を具備しており、該Ｕ字状折返し部(520)の下端部近傍の外周輪郭は立体的な丸みを帯びた形状になっている。従って、グリル用焼き網(1)の洗浄時には、前記立体的な丸みを帯びたＵ字状折返し部(520)の下端近傍がシンク等の上を摺動してもこれを傷付ける心配が少ない。
【００２３】
前方支持脚(4)に取付けられる防風板(41)は、図２に示すように、金属板をプレス抜き及び曲げ加工して製作したものであり、既述前方支持脚(4)の差込片(42)(42)以外の範囲を覆う大きさに設定された長方形の主体部(410)と、該主体部(410)の一対の短辺部から後方に屈曲する側部屈曲片(411)(411)を備えている。
そして、これら一対の側部屈曲片(411)(411)は、横長長方形枠状に形成された前方支持脚(4)の両側の短辺(45)(45)に対して、両側外方から外嵌するようになっている。
主体部(410)の上側長辺部からは逆釣り針状に曲げられた上部係合部(412)が延長しており、該上部係合部(412)が食材載置網(10)の周縁枠部(101)の前辺(101A)に対して上方から係合するようになっている。又、防風板(41)の前記主体部(410)の下辺からは後方に延びる水平係合部(413A)とこれに続く指掛け部(413B)から成る弾性係合片(413)が屈曲しており、前記水平係合部(413A)の上面と上部係合部(412)の内周頂面との間隔寸法は、周縁枠部(101)の前辺(101A)と前方支持脚(4)に於ける差込片(42)(42)間の中間辺部(K)との外寸法よりも若干短い寸法に設定されている。
【００２４】
従って、防風板(41)を、その上端が後方に倒れた傾斜姿勢に維持すると共に、この傾斜姿勢にある防風板(41)の上部係合部(412)を食材載置網(10)の周縁枠部(101)の前辺(101A)に上方から係合させ、この状態で、弾性係合片(413)の水平係合部(413A)を上記中間辺部(K)の下側に強制的に押し込むと、前記水平係合部(413A)が前記中間辺部(K)に対して弾性的に押圧され、これにより、防風板(41)が食材載置網(10)の周縁枠部(101)の前辺(101A)の下方に設けられた状態になる。従って、本実施の形態では、上記上部係合部(412)と弾性係合片(413)の集合が既述請求項３の発明特定事項たる取付手段に対応する。尚、本実施の形態では、防風板(41)を装着した状態では、該防風板(41)の下辺から後方に屈曲する弾性係合片(413)の水平係合部(413A)の下面と、前方支持脚(4)に於ける差込片(42)(42)の上端から外側水平方向に屈曲延長する両端水平部(M)(M)の下縁とが同一高さになる。又、防風板(41)の下辺であって、前記弾性係合片(413)の両脇から外側に延びる左右下辺部(414)(414)は、上記前方支持脚(4)の下部の両端水平部(M)(M)の前面に接触するようになっている。従って、後述のように、防風板(41)が装着されたグリル用焼き網(1)がグリルパン(23)に載置された状態では、防風板(41)の下端から後方に屈曲する弾性係合片(413)の水平係合部(413A)と前方支持脚(4)の前記水平部(M)(M)（前方支持脚(4)の左右下辺部(414)(414)が接触している）が前記グリルパン(23)の上端フランジ(230)に当接する。これにより、開閉扉(21)と前方開口(22)周縁の下部間隙(X)から焼成庫(20)内に流入する外気が、防風板(41)で確実に遮断されて、この外気が食材載置網(10)の下方に一層流れ込みにくくなる。
【００２５】
一方、防風板(41)を前方支持脚(4)から取り外すときは、指掛け部(413B)を下方前方に引張ることにより、前記中間辺部(K)と弾性係合片(413)の水平係合部(413A)との係合を解除させる。そして、この状態で防風板(41)を上記取付け時とは逆の順序で動せると、防風板(41)が前方支持脚(4)から取り外すことができる。
このものでは、既述した手順に従って防風板(41)を前方支持脚(4)に取付け、その後、グリル用焼き網(1)の前方支持脚(4)と後方支持脚(5)の下端に突出する差込片(42)(42)(52)を、グリルパン(23)の上端フランジ(230)に開設された差込穴(231)(231)(232)に差込み、これにより、グリル用焼き網(1)をグリルパン(23)に立てた状態に装着する。この装着状態では、既述したように、防風板(41)の下端から後方に屈曲する弾性係合片(413)の水平係合部(413A)と前方支持脚(4)の前記水平部(M)(M)（前方支持脚(4)の左右下辺部(414)(414)が接触している）が前記グリルパン(23)の上端フランジ(230)に当接する。
【００２６】
次に、焼き物グリルの開閉扉(21)を開放してグリル用焼き網(1)とグリルパン(23)の集合体を焼成庫(20)に収納する。すると、図１に示すように、グリル用焼き網(1)の食材載置網(10)とグリルパン(23)の上下間隔(S)に対し、下火バーナ(25)(25)の炎孔(250)が横方向から臨んだ状態になる。
この状態で開閉扉(21)を閉じて下火バーナ(25)(25)及び上火バーナ(24)を燃焼させると、これら各バーナ(25)(25)(24)によって食材載置網(10)上の食材(A)が加熱される一方、各バーナ(25)(25)(24)からの燃焼排気は、焼成庫(20)の奥に接続された排気ダクト(30)から外部に排出され、これにより、食材(A)の調理が進行する。
【００２７】
一方、食材(A)の調理中には、開閉扉(21)と前方開口(22)周縁の下部間隙(X)から焼成庫(20)内に外気が流入するが、食材載置網(10)の前端とグリルパン(23)の上端フランジ(230)の上下間隔(S)の前部は、ほぼ防風板(41)（前方支持脚(4)に取付けられている）で覆われた状態になる。従って、上記下部間隙(X)から流入した外気が前記防風板(41)で遮断されて食材載置網(10)の下方に直接的に流入することがなく、これにより、食材載置網(10)の下方空間の温度が調理適正温度より低くなるのが防止される。
次に、汚れたグリル用焼き網(1)をグリルパン(23)から取り外して洗浄するときは、既述した手順で防風板(41)を前方支持脚(4)から除去するか、又は、除去しないでグリル用焼き網(1)をシンクで洗浄する。
この場合、前方支持脚(4)や後方支持脚(5)の差込片(42)(42)(52)のＵ字状折返し部(420)(420)(520)の外周輪郭は立体的に丸みを帯びた形状を有しているから、これらがシンク等の上を摺動しても該シンクを傷つける心配が少ない。
【００２８】
［第２実施形態］
図３は、本発明の第２実施形態を説明する分解斜視図である。
このものでは、食材載置網(10)の周縁枠部(101)の前辺(101A)の中央部を下方に屈曲させることによって、前方支持脚(4)を周縁枠部(101)の前辺(101A)に垂下状態に連設している。そして、この前方支持脚(4)の下辺部(40)の一部を更に下方にＵ字状に屈曲させることによって、差込片(42)(42)（第１実施形態と同様にグリルパン(23)の上端フランジ(230)に開設された差込穴(231)(231)に差し込まれる。）を形成している。又、前方支持脚(4)の両サイドに位置する一対の縦辺部(46)(46)に対して上方からスライド式に装着される防風板(41)は、正面視が横長長方形状に形成されており、その両横に位置する短辺部の一部が後方にL字状に屈曲され、これにより、係合片(47)(47)が形成されている。そして、係合片(47)(47)の基端部(470)(470)相互間の寸法は既述縦辺部(46)(46)の内寸より若干小さく設定されている。又、防風板(41)の上辺部は後方に屈曲されて庇部(48)が形成されている。
従って、防風板(41)の左右の係合片(47)(47)部分を前方支持脚(4)の縦辺部(46)(46)に係合させた状態で該防風板(41)を上方から落とし込むと、該防風板(41)の上端から後方に屈曲する庇部(48)の左右両端部が、前方支持脚(4)を構成する縦辺部(46)(46)の上端から水平に屈曲延長する両端水平部(101B)に係合し、これにより、防風板(41)が前方支持脚(4)部分に取付けられる。従って、本実施の形態では、防風板(41)の左右に設けられた係合辺(47)(47)が既述請求項３の発明特定事項たる取付手段に対応する。
【００２９】
一方、食材載置網(10)の周縁枠部(101)の後辺(101C)の中央部を下方に屈曲させることによって後方支持脚(5)が形成されていると共に、該後方支持脚(5)の下辺部(50)の中央部は、更にＵ字状に屈曲されて下方に突出する差込片(52)（第１実施形態と同様にグリルパン(23)の上端フランジ(230)に開設された差込穴(232)に差し込まれる。）が形成されている。
又、上記後方支持脚(5)には、長方形状の補強枠(54)が取付けられるようになっている。この為、補強枠(54)の横方向の両端近傍にはＬ字状の係合片(56)(56)が突設されており、該係合片(56)(56)を、後方支持脚(5)の両サイドに位置する一対の縦辺部(57)(57)に内側から係合させた状態で補強枠(54)を落とし込むと、該補強枠(54)が後方支持脚(5)に取付けられた状態になる。
このものでも、前後支持脚(4)(5)の差込片(42)(42)(52)の下端近傍の外周輪郭が立体的に丸みを帯びた形状を有しているから、グリル用焼き網(1)の洗浄時に差込片(42)(42)(52)がシンク等の上を摺動しても、該シンクに傷がつきにくい。
【００３０】
［第３実施形態］
図４は、本発明の第３実施形態を説明する分解斜視図である。
このものでは、食材載置網(10)の周縁枠部(101)の前後辺(101A)(101C)には、既述従来例で説明したものと同様に、金属板製の前後支持脚(4)(5)を溶接している。前方支持脚(4)は食材載置網(10)を構成する周縁枠部(101)の前辺(101A)に溶接された防風板(41)と該防風板(41)の下辺部を下方に延長させた差込片(42)(42)（既述発明特定事項たる突出片に対応する）を備えている。一方、後方支持脚(5)は上記周縁枠部(101)の後辺(101C)に溶接されていると共に、該後方支持脚(5)の下辺からは差込片(52)（既述発明特定事項たる突出片に対応する）が突出している。そして、上記各突出片(42)(42)(52)の下端及び、該下端の横方向両端から上方に続く領域は、ヘミング加工されており、これら差込片(42)(42)(52)は夫々、同一構造を有している。
【００３１】
図５は、差込片(42)を裏面方向から見た一部切り欠きの斜視図であり、差込片(42)の両側下部及び下辺部は裏側に折り返されてヘミング加工(421)がされている。
従って、上記ヘミング加工により、差込片(42)の下辺外周形状が立体的に丸みを帯びた形状になるから、グリル用焼き網(1)を洗浄するときに前記差込片(42)(42)(52)がシンク等の上で摺動しても、該シンク等が傷つく心配がすくない。
尚、図５の差込片(42)に代えて図６の構造を採用してもよい。図６の差込片(42)は、下辺部を下方に凸となった円弧状に形成する共に、該下辺部を折り返してヘミング加工(421)を施したものである。このものでも、差込片(42)の下端近傍の周縁が立体的な丸みを帯びた形状になるから、前後支持脚(4)(5)の下端が洗浄時にシンク等の上を摺動しても該シンクを傷つける心配が少なくなる。
【００３２】
［その他］
１．第１実施形態では、前方支持脚(4)と後方支持脚(5)を共に断面略円形の金属線を枠状に屈曲して形成したが、第１実施形態の後方支持脚(5)に代えて図４に示す第３実施形態の金属板製の後方支持脚(5)を適用してもよい。
２．図２のものでは、食材載置網(10)を構成する周縁枠部(101)の前辺(101A)に防風板(41)の上部係合部(412)を係合したが、長方形枠状に形成された前方支持脚(4)の上辺が前記前辺(101A)より上方に位置する構造の場合は、前記前方支持脚(4)の上辺に前記上部係合部(412)を係合させる。即ち、防風板(41)は前記食材載置網(10)又は前方支持脚(4)の何れに係合取付けしてもよい。
３．上記何れの実施形態においても、本発明をテーブルコンロのグリル用焼き網(1)に適用した場合を例示的に説明したが、システムキッチンのカウンタートップに形成された開口に落とし込み状態に装着されるドロップインコンロの焼き物グリルに適用されるグリル用焼き網(1)に本願発明を適用できることは言うまでもない。
４．上記実施の形態では、上火バーナ(24)と下火バーナ(25)(25)を備えた両面焼きグリルに適用されるグリル用焼き網を例示的に説明したが、本発明のグリル用焼き網は、下火バーナ(25)(25)のみを備えたグリルにも適用できる。
５．図４のものでは、食材載置網(10)の周縁枠部(101)の後辺(101C)に金属板製の後方支持脚(5)を溶接固定したが、該後方支持脚(5)に代えて図２や図３に示す構造の後方支持脚(5)（断面略円形の金属線をＵ字状に屈曲させることによって下端に差込片(52)(52)を形成したもの）を採用してもよい。
【図面の簡単な説明】
【００３３】
【図１】本発明の第１実施形態を説明するガスコンロの縦断面図
【図２】第１実施形態を説明するグリル用焼き網(1)とグリルパン(23)の分解斜視図
【図３】第２実施形態を説明するグリル用焼き網(1)とグリルパン(23)の分解斜視図
【図４】第３実施形態を説明するグリル用焼き網(1)とグリルパン(23)の分解斜視図
【図５】第３実施形態の差込片(42)を裏面方向から見た一部切り欠きの斜視図
【図６】差込片(42)の変形例を示す斜視図
【図７】従来例の説明図
【図８】従来例の説明図
【符号の説明】
【００３４】
(4)・・・前方支持脚
(5)・・・後方支持脚
(10)・・・食材載置網
(20)・・・焼成庫
(21)・・・開閉扉  
(22)・・・前方開口  
(23)・・・グリルパン
(41)・・・防風板
(100)・・・中央網部
(101)・・・周縁枠部
(230)・・・フランジ
【図１】
2005334042.tif 000003
【図２】
2005334042.tif 000004
【図３】
2005334042.tif 000005
【図４】
2005334042.tif 000006
【図５】
2005334042.tif 000007
【図６】
2005334042.tif 000008
【図７】
2005334042.tif 000009
【図８】
2005334042.tif 000010